(57)【要約】【課題】移動端末と固定電話端末で同一の電話番号をＩＰ電話サービスで利用するときに、ユーザが煩雑な設定を行うことなく、希望する側の端末で着信応答する。【解決手段】電話装置１０（主装置１１の制御部１１１）は、他の電話装置（移動端末２０）から代理登録要求を受信すると、移動端末２０に代わってＩＰ電話サーバ３０に登録要求を行う。そして、その電話番号宛に着信があってＩＰ電話サーバ３０から着信通知を受信すると、プッシュ機能を用いて移動端末２０宛に、着信通知を送信する。【選択図】図１
2015076844.tif 000002
【特許請求の範囲】
【請求項１】
ＩＰ電話サーバに対する定期的な登録により第１の電話装置と第２の電話装置が同じ電話番号でＩＰ電話サービスの利用が可能なＩＰ電話システムであって、
前記第１の電話装置が前記第２の電話装置に対して代理登録要求を送信すると、
前記代理登録要求を受信した前記第２の電話装置は、
前記ＩＰ電話サーバに対して前記第１の電話装置に代わって登録要求を送信し、
前記登録要求を受信した前記ＩＰ電話サーバは、
前記電話番号宛に着信があると、前記第２の電話装置に対して着信通知を行い、
前記着信通知を受信した前記第２の電話装置は、
前記着信通知を前記第１の電話装置に送信して前記第１の電話装置が着信応答することを特徴とするＩＰ電話システム。
【請求項２】
ＩＰ電話サーバに対する定期的な登録により他の電話装置と同じ電話番号で電話サービスの利用が可能な電話装置であって、
前記他の電話装置から代理登録要求を受信すると、前記他の電話装置に代わって前記ＩＰ電話サーバに対して登録要求を送信し、
前記電話番号宛に着信があって前記ＩＰ電話サーバから着信通知を受信すると、前記他の電話装置に対して前記着信通知を送信する制御部、
を有することを特徴とする電話装置。
【請求項３】
ＩＰ電話サーバに対する定期的な登録により他の電話装置と同じ電話番号でＩＰ電話サービスの利用が可能な電話装置であって、
前記他の電話装置に対して代理登録要求を送信し、
前記他の電話装置が、自身に代わって前記ＩＰ電話サーバに対して登録要求を送信した後、前記電話番号宛に着信があって前記ＩＰ電話サーバから着信通知を受信した前記他の電話装置から送信される着信通知の受信を待って着信応答する制御部、
を有することを特徴とする電話装置。
【請求項４】
コンピュータにより実行され、ＩＰ電話サーバに対する定期的な登録により他の電話装置と同じ電話番号で電話サービスの利用可能な電話装置のプログラムであって、
前記コンピュータに、
前記他の電話装置から代理登録要求を受信すると、前記他の電話装置に代わって前記ＩＰ電話サーバに対して登録要求を送信する処理と、
前記電話番号宛に着信があって前記ＩＰ電話サーバから着信通知を受信すると、前記他の電話装置に対して前記着信通知を送信する処理と、
を実行させるプログラム。
【請求項５】
コンピュータによって実行され、ＩＰ電話サーバに対する定期的な登録により他の電話装置と同じ電話番号で電話サービスの利用が可能な電話装置のプログラムであって、
前記コンピュータに、
前記他の電話装置に対して代理登録要求を送信する処理と、
前記他の電話装置が自身に代わって前記ＩＰ電話サーバに対して登録要求を送信した後、前記電話番号宛に着信があれば、前記ＩＰ電話サーバから着信通知を受信した前記他の電話装置から送信される着信通知の受信を待って着信応答する処理と、
を実行させるプログラム。
【発明の詳細な説明】
【技術分野】
【０００１】
本発明は、ＩＰ（Internet  Protocol）電話サービスを利用する、例えば、固定電話端末を収容した電話装置であって、この固定電話端末と同一の電話番号を持ち、同様にＩＰ電話サービスを利用する、例えば、携帯電話機等の移動端末との間で電話サービスを快適に利用することが可能な、ＩＰ電話システム、電話装置およびプログラムに関する。
【背景技術】
【０００２】
従来、着信を受けた電話を、あらかじめ登録してある携帯電話、あるいはオフィスや家庭等の固定電話に転送することができる、転送電話サービスが知られている。例えば、特許文献１には、公衆回線網経由で転送対象の外線からボタン電話主装置に着信があった場合に、携帯電話が無線基地局に位置登録されていることを条件に転送を有効にし、その携帯電話に転送する方法が開示されている。
【先行技術文献】
【特許文献】
【０００３】
【特許文献１】特開平９−３２２２５５号公報
【発明の概要】
【発明が解決しようとする課題】
【０００４】
ところで、ＩＰ電話サービスは、サービスに加入すれば、インターネット接続環境にあればどこでもサービスを受けることができる。ＩＰ電話端末は、ＩＰ電話サービスを提供するＩＰ電話サーバに対してＩＰアドレスによる登録動作を定期的に行っている。このとき、移動端末と固定電話端末とを同一の電話番号で同じＩＰ電話サービスを利用しようとした場合、移動端末と固定電話端末がＩＰ電話サーバに対して登録を行うと、移動端末側と固定電話端末側のユーザＩＤとパスワードが正しい場合、ＩＰ電話サーバは、後から登録された方の端末を有効として動作することになる。
【０００５】
このため着信が発生した場合、ＩＰ電話サーバは、その時点で登録されている側の端末に対して着信通知を行うため、例えば、ユーザが、ある発信先から電話があることが分っているときに、その着信を外出先（移動端末側）で受けたくても、固定電話端末側が有効になっている状態で着信が発生すると固定電話端末側に着信が通知されてしまうことがあるため、確実に移動端末側でその着信に応答することができない。すなわち、既存の基本的なＩＰ電話サービスでは、別々のＩＰアドレスで二重に登録されると、後に登録されたＩＰアドレスを持つ端末に対して着信通知が行われるため、一つの電話番号を２拠点以上で使用することができないという課題があった。
【０００６】
本発明は上記した課題を解決するためになされたものであり、例えば、移動端末と固定電話端末で同一の電話番号をＩＰ電話サービスで利用するときに、ユーザが煩雑な設定を行うことなく、希望する側の端末で着信応答することが可能な、ＩＰ電話システム、電話装置およびプログラムを提供することを目的とする。
【課題を解決するための手段】
【０００７】
上記した課題を解決するために本発明の第１の観点に係るＩＰ電話システムは、ＩＰ電話サーバに対する定期的な登録により第１の電話装置と第２の電話装置が同じ電話番号でＩＰ電話サービスの利用が可能なＩＰ電話システムであって、前記第１の電話装置が前記第２の電話装置に対して代理登録要求を送信すると、前記代理登録要求を受信した前記第２の電話装置は、前記ＩＰ電話サーバに対して前記第１の電話装置に代わって登録要求を送信し、前記登録要求を受信した前記ＩＰ電話サーバは、前記電話番号宛に着信があると、前記第２の電話装置に対して着信通知を行い、前記着信通知を受信した前記第２の電話装置は、前記着信通知を前記第１の電話装置に送信して前記第１の電話装置が着信応答することを特徴とする。
【０００８】
本発明の第２の観点に係る電話装置は、ＩＰ電話サーバに対する定期的な登録により他の電話装置と同じ電話番号で電話サービスの利用が可能な電話装置であって、前記他の電話装置から代理登録要求を受信すると、前記他の電話装置に代わって前記ＩＰ電話サーバに対して登録要求を送信し、前記電話番号宛に着信があって前記ＩＰ電話サーバから着信通知を受信すると、前記他の電話装置に対して前記着信通知を送信する制御部、を有することを特徴とする。
【０００９】
本発明の第３の観点に係る電話装置は、ＩＰ電話サーバに対する定期的な登録により他の電話装置と同じ電話番号でＩＰ電話サービスの利用が可能な電話装置であって、前記他の電話装置に対して代理登録要求を送信し、前記他の電話装置が、自身に代わって前記ＩＰ電話サーバに対して登録要求を送信した後、前記電話番号宛に着信があって前記ＩＰ電話サーバから着信通知を受信した前記他の電話装置から送信される着信通知の受信を待って着信応答する制御部、を有することを特徴とする。
【００１０】
本発明の第４の観点に係るプログラムは、コンピュータにより実行され、ＩＰ電話サーバに対する定期的な登録により他の電話装置と同じ電話番号で電話サービスの利用可能な電話装置のプログラムであって、前記コンピュータに、前記他の電話装置から代理登録要求を受信すると、前記他の電話装置に代わって前記ＩＰ電話サーバに対して登録要求を送信する処理と、前記電話番号宛に着信があって前記ＩＰ電話サーバから着信通知を受信すると、前記他の電話装置に対して前記着信通知を送信する処理と、を実行させることを特徴とする。
【００１１】
本発明の第５の観点に係るプログラムは、コンピュータによって実行され、ＩＰ電話サーバに対する定期的な登録により他の電話装置と同じ電話番号で電話サービスの利用が可能な電話装置のプログラムであって、前記コンピュータに、前記他の電話装置に対して代理登録要求を送信する処理と、前記他の電話装置が自身に代わって前記ＩＰ電話サーバに対して登録要求を送信した後、前記電話番号宛に着信があれば、前記ＩＰ電話サーバから着信通知を受信した前記他の電話装置から送信される着信通知の受信を待って着信応答する処理と、を実行させることを特徴とする。
【発明の効果】
【００１２】
本発明によれば、例えば、移動端末と固定電話端末で同一の電話番号をＩＰ電話サービスで利用するときに、ユーザが煩雑な設定を行うことなく、希望する側の端末で着信応答することが可能な、ＩＰ電話システム、および電話装置ならびにプログラムを提供することができる。
【図面の簡単な説明】
【００１３】
【図１】本発明の実施の形態に係るＩＰ電話システムの接続構成を示す図である。
【図２】図１のＩＰ電話システムの動作シーケンス図である。
【図３】本発明の実施の形態に係る電話装置（主装置）の構成を示すブロック図である。
【図４】本発明の実施の形態に係る電話装置（移動端末）の構成を示すブロック図である。
【図５】本発明の実施の形態に係る電話装置（移動端末）の動作を示すフローチャートである。
【図６】本発明の実施の形態に係る電話装置（主装置）の動作を示すフローチャートである。
【図７】本発明の実施の形態に係る電話装置（主装置）の動作を示すフローチャートである。
【発明を実施するための形態】
【００１４】
以下、添付図面を参照して、本発明を実施するための形態（以下、本実施形態という）について詳細に説明する。なお、本実施形態の説明の全体を通して同じ要素には同じ番号を付している。
【００１５】
(実施形態の構成)
図１において、ＩＰ電話システム１は、本実施形態に係る電話装置１０と、携帯電話等の移動端末２０と、ＩＰ電話サーバ３０とを含む。電話装置１０は、複数の外線と内線を共有して制御する主装置１１と、主装置１１に収容される複数の固定電話端末（子機１２）とからなる、例えば、ビシネスホンである。ＩＰ電話サーバ３０は、ＩＰに対応した交換機であり、例えば、ＲＴＰ（Real-time  Transmission  Protocol）を使用し、音声をパケット化してＩＰ網４０に接続される電話装置１０と移動端末２０との間で通話を可能にする。なお、ここに示される移動端末２０は、本実施形態に係る電話装置１０と同一の電話番号を有するものとして説明する。
【００１６】
図２に、図１に示したＩＰ電話システム１の動作シーケンス図が示されている。以下、図２の動作シーケンス図を参照しながら図１のＩＰ電話システム１の概略動作を説明する。なお、以下に説明するコマンドおよび応答に係る呼制御は、ＳＩＰ（Session  Initiation  Protocol）で実現されるものとする。
【００１７】
まず、移動端末２０は、アプリケーションが起動されると、固定電話端末１２を収容する電話装置１０（主装置１１）に対し、ＩＰ電話サーバ３０に対する代理登録要求を行う（ステップＳ１１）。移動端末２０は、その代理登録要求を送信して電話装置１０からＯＫ応答を得た後（ステップＳ１２）、アプリケーションを終了する。上記した代理登録要求は、図１中に「ａ．代理登録要求」として示されている。
【００１８】
電話装置１０側では、移動端末２０から代理登録要求を受信することにより、ＩＰ電話サーバ３０に対し、代理で登録要求を行う（ステップＳ１３）。上記した代理登録は、図１中に「ｂ．代理登録」として示されている。ＩＰ電話サーバ３０からＯＫ応答を得た後（ステップＳ１４）、着信が発生すると、ＩＰ電話サーバ３０は登録されている電話装置１０に対して着信を通知する（ステップＳ１５）。電話装置１０は、着信通知を受信すると、プッシュ機能を使用して移動端末２０に対して着信情報を通知する（ステップＳ１６）。
【００１９】
着信通知を受けた移動端末２０は、電話装置１０にＯＫ応答を行ない（ステップＳ１７）、アプリケーションを起動することによりＩＰ電話サーバ３０に登録要求を行ない（ステップＳ１８）、ＩＰ電話サーバ３０からＯＫ応答を得る（ステップＳ１９）。上記した登録は、図１中に「ｃ．登録」として示されている。なお、「プッシュ機能」とは、移動端末２０側でイベントを受信すると、そのイベントに対応する処理（アプリケーション）を起動させるものであり、移動端末２０は、この機能を利用することにより、何らかの情報更新があった場合にユーザの働きかけ無しにその更新を知ることができる。ＩＰ電話サーバ３０に移動端末２０のＩＰアドレスが登録されると、ＩＰ電話サーバ３０からの着信通知は移動端末２０側に切り替わる。これにより、発生した着信を移動端末２０で受けることができる。
【００２０】
ＩＰ電話サーバ３０から移動端末２０に着信通知が行われると（ステップＳ２０）、移動端末２０は、着信を受け付けたことを示すメッセージ応答を行い（ステップＳ２１）、ベルを鳴らす等の呼び出し処理を行なう（ステップＳ２２）。これにより着信応答が可能になり、着信に応答すると着信に応答したことが通知される（ステップＳ２３）。なお、ユーザは、移動端末２０が、電話装置１０宛に代理登録要求を送信後、着信が発生し電話装置１０から着信通知を受けるまでの間、移動端末２０を休止（スリープ）させることが可能（アプリケーションを常時起動する必要がない）なため、バッテリの省電力化が可能である。
【００２１】
また、移動端末２０は、電話装置１０に対し、代理登録要求のキャンセルを行うことで電話装置１０からの着信通知を止める事ができる（ステップＳ２４）。代理登録頼要求のキャンセルを受け取ると、電話装置１０は、ＩＰ電話サーバ３０からの着信に対して応答する。また、代理登録要求が有効になっている状態で電話装置１０がＩＰ電話サーバ３０から着信通知を受信すると（ステップＳ２５）、移動端末２０にプッシュ機能を用いて着信通知を行うが、移動端末１０が圏外等で着信通知が届かない場合（ステップＳ２６）、あるいは、ユーザが、移動端末２０で電話装置１０からの着信通知に対して応答したくない場合（ステップＳ２７）、電話装置１０からの着信通知に対して着信応答が返せない、または、着信応答を返さないことで、移動端末で着信に応答せずに電話装置１０側で着信に応答させることができる。電話装置１０側では、所定時間内に移動端末２０からの応答がない場合は、電話装置１０側で着信応答することになる。
【００２２】
すなわち、着信が発生すると、ＩＰ電話サーバ３０は、電話装置１０に着信通知を行なうが（ステップＳ２８）、電話装置１０は、移動端末２０に対する着信通知を行わない（ステップＳ２９）。ここで、電話装置１０は、移動端末２０に対して着信を電話装置１０で受けたことを通知しても良い。したがって、電話装置１０は、ＩＰ電話サーバ３０に対し着信を受け付けたことを示すメッセージ応答を行い（ステップＳ３０）、ベルを鳴らす等の呼び出し処理を行ない（ステップＳ３１）、着信応答を行う（ステップＳ３２）。
【００２３】
なお、電話装置１０は、移動端末２０に対してプッシュ機能を用いて着信通知を行うときに発信側の電話番号も通知することで、移動端末２０のユーザが電話を受けるか否かを選択し、あるいは電話番号によって自動で着信応答するか否かを判断させるように設定しておいても良い。このように制御することで、各々の装置が連携していなくてもユーザが希望する側の端末に着信を振り分けることができる。
【００２４】
図３に本実施形態に係る電話装置１０の構成が示されている。ここでは、主装置１１の内部構成が示されており、周辺の接続構成もあわせて示してある。図３に示すように、主装置１１は、制御部１１１と、記憶部１１２と、アナログ電話通信部１１３と、携帯電話通信部１１４と、アナログ内線通信部１１５と、ＩＰネットワーク通信部１１６とを備えている。
【００２５】
制御部１１１は、汎用の１チップＣＰＵで構成され、主装置１１の制御中枢となる。制御部１１１は、記憶部１１２に記憶されたプログラムを逐次読み出し実行することにより、例えば、他の電話装置（移動端末２０）から代理登録要求を受信すると、移動端末２０に代わってＩＰ電話サーバ３０に対して登録要求を行い、移動端末２０と同じ電話番号宛に着信があってＩＰ電話サーバ３０からその着信通知を受信すると、移動端末２０に対して着信通知を送信する制御を行う。詳細な手順は後述する。
【００２６】
記憶部１１２は、プログラム領域と作業領域からなり、プログラム領域には制御部１１１が実行するプログラムが格納され、作業領域にはプログラム実行過程で生成される各種データが格納される。記憶部１１２には、例えば、ダイナミックＲＡＭ、スタティックＲＡＭ、あるいは書き換え可能なフラッシュメモリが実装される。
【００２７】
アナログ電話通信部１１３は、図示省略したアナログ電話網に接続されており、アナログ電話通信が可能に構成されている。また、携帯電話通信部１１４は、図示省略した携帯電話網に接続されており、携帯電話通信が可能に構成されている。また、アナログ内線通信部１１５は、アナログ電話通信に対応しており、図示省略した複数の内線電話端末が接続されている。アナログ内線通信部１１５は、アナログ電話網、携帯電話網およびＩＰ網４０上の外線電話端末との間で通信可能に接続する機能を有している。また、ＩＰネットワーク通信部１１６は、ＩＰ網４０に接続されており、ＩＰ網４０上の複数のＩＰ電話端末と並行して通信可能である。なお、ＩＰネットワーク通信部１１６には、ＬＡＮ（Local  Area  Network）経由で固定電話端末（図１の子機１２）が接続されている。
【００２８】
図４に移動端末２０の構成が示されている。移動端末２０は、制御部２０１と、記憶部２０２と、操作部２０３と、表示部２０４と、通信部２０５と、音声入出力部２０６とを含み構成される。
【００２９】
制御部２０１は、汎用の１チップＣＰＵで構成され、移動端末２０の制御中枢となる。制御部２０１は、記憶部２０２に記憶されたプログラムを逐次読み出し実行することにより、他の電話装置（電話装置１０）に対して代理登録要求を送信し、電話装置１０が、自身に代わってＩＰ電話サーバ３０に対して登録要求を行った後、電話装置１０と同じ電話番号宛に着信があって、ＩＰ電話サーバ３０から着信通知を受信した電話装置１０から送信される着信通知の受信を待って着信応答するように制御する。詳細な手順は後述する。
【００３０】
記憶部２０２は、プログラム領域と作業領域からなり、プログラム領域には制御部２０１が実行するプログラムが格納され、作業領域にはプログラム実行過程で生成される各種データが格納される。記憶部２０２には、例えば、ダイナミックＲＡＭ、スタティックＲＡＭ、あるいは書き換え可能なフラッシュメモリが実装される。
【００３１】
操作部２０３は、テンキーや操作ボタンからなり、これらが使用者によって押下されると、当該テンキーや操作ボタンが押下されたことを示す操作信号が制御部２０１に出力される。制御部２０１は、入力される操作信号に基づいて、どのテンキーや操作ボタンが操作されたかを特定し、操作されたテンキーや操作ボタンに応じた動作を行う。
【００３２】
表示部２０４は、例えば、液晶表示パネルあるいは有機ＥＬパネルであって、制御部２０１によって生成される文字、記号、図形などの各種情報を表示する。なお、操作部２０３は、表示部２０４と一体形成されたタッチパネルで代替してもよい。タッチパネルは、例えば、投影型静電量容量方式のタッチパネルであって、表示部２０４の表示面（画面）に対する使用者の操作を検出する。タッチパネルは、表示面に貼り付けられており、互いに対向配置されたシート状の２つの電極センサーを備えている。２つの電極センサーは透明粘着性シートによって貼り合わされている。
【００３３】
通信部２０５は、移動端末２０とは別の移動端末、固定電話端末、あるいはＩＰ網４０に接続されたウェブサーバ等の通信装置等との間で、信号を、基地局およびアンテナ経由で送受信する。通信部２０５は、受信信号に対して憎幅処理及びダウンコンバートを行って制御部２０１に出力する。このとき制御部２０１は、入力される受信信号に対して復調処理等を行って、当該受信信号に含まれる、音声や音楽などを示す音信号などを取得する。また通信部２０５は、制御部２０１で生成された、音信号等を含む送信信号に対してアップコンバート及び憎幅処理を行って、処理後の送信信号をアンテナ経由で無線送信する。アンテナからの送信信号は、基地局を通じて、移動端末２０とは別の移動端末、固定電話端末、あるいはＩＰ網４０に接続された通信装置で受信される。
【００３４】
音声入出力部２０６は、マイクを介して入力される音声信号や、スピーカから出力される音声信号の入出力処理を行う。すなわち、マイクから入力される音声を増幅し、アナログ−デジタル変換を行い、更に符号化等の信号処理を施し、デジタルの音声データに変換して制御部２０１に出力する。また、制御部２０１から出力される音声データに復号化、デジタル−アナログ変換、増幅等の信号処理を施し、アナログの音声信号に変換してスピーカに出力する。
【００３５】
（実施形態の動作）
以下、図５、図６及び図７のフローチャートを参照しながら、本実施形態に係る移動端末と電話装置の動作について詳細に説明する。
【００３６】
図５によれば、移動端末２０の制御部２０１は、アプリケーションが起動されると（ステップＳ１０１）、固定電話端末１２を収容する主装置１１に対し、ＩＰ電話サーバ３０に対する代理登録要求を送信する（ステップＳ１０２）。そして、移動端末２０は、電話装置１０からＯＫ応答を得た後、アプリケーションを終了して休止（スリープ状態）に入り（ステップＳ１０３）、着信通知または発信使用待ちになる(ステップＳ１０４)。
【００３７】
電話装置１０側では、移動端末２０から代理登録要求を受信することにより、ＩＰ電話サーバ３０に対し、代理でアドレスの登録要求を行う。したがって、着信が発生すると、ＩＰ電話サーバ３０によって登録されている電話装置１０に対して着信通知が行われる。電話装置１０は、着信通知を受信すると、移動端末２０（制御部２０１）に対する着信通知を、プッシュ機能を使用して通知する。制御部２０１は、電話装置１０から着信通知を受信する、あるいはユーザにより発信操作がなされると（ステップＳ１０４“ＹＥＳ”）、アプリケーションを起動して（ステップＳ１０５）、電話装置１０に受付通知を送信する（ステップＳ１０６）。発信使用か着信通知か判断し、発信使用であれば（ステップＳ１０７“発信使用”）ＩＰ電話サーバ３０に登録要求を行なう（ステップＳ１０８）。ＩＰ電話サーバ３０に移動端末２０が登録され移動端末２０からの発信が可能になる（ステップＳ１０９）。ステップＳ１０７で着信通知と判断すると、着信を拒否するか否かを判断し（ステップＳ１１０）、着信に応答する場合は（ステップＳ１１０“ＮＯ”）、ＩＰ電話サーバ３０に登録要求を行う（ステップＳ１１１）。着信を拒否する場合（ステップＳ１１０“ＹＥＳ”）はステップＳ１０３へ戻る。ＩＰ電話サーバ３０に登録後、着信が継続していれば（ステップＳ１１２“ＹＥＳ”）、通常の着信処理を行ない着信に応答する（Ｓ１１３）。着信が継続していなければ（ステップＳ１１１“ＮＯ”）、ステップＳ１０２へ戻る。
【００３８】
図６、図７によれば、主装置１１の制御部１１１は、移動端末２０から代理登録要求を受信すると（ステップＳ２０１“ＹＥＳ”）、代理登録要求か代理登録要求のキャンセルかを判断する（ステップＳ２０２）。代理登録要求と判断すると（ステップＳ２０２“登録依頼”）、代理登録モードとなり（ステップＳ２０３）、ＩＰ電話サーバ３０に対し、代理でアドレスの登録要求を行う（ステップＳ２０４）。ステップ２０２で代理登録要求のキャンセルと判断すると、同様にＩＰ電話サーバ３０に登録を行うが、着信が発生しても移動端末２０に通知しない（ステップＳ２０５）。制御部１１１は、着信通知を受信すると（ステップＳ２０６“ＹＥＳ”）、代理登録モードか否かを判断し、代理登録モードであれば（ステップＳ２０７“代理登録モード”）移動端末２０に対する着信通知をプッシュ機能によって通知する（ステップＳ２０８）。
【００３９】
着信通知を受けた移動端末２０は、休止状態からアプリケーションを起動することによりＩＰ電話サーバ３０に着信登録更新要求を行ない、着信応答を行うが、移動端末２０がその電話装置１０からの着信通知に対して応答したくない場合、あるいは、圏外等により回線サービスが機能せず着信が受けられない場合、電話装置１０からの着信通知に対して着信応答を返さないことで以降発生する着信を通知させないことができる。したがって、制御部１１１は、所定時間内に移動端末２０からの応答がない場合は（ステップＳ２０９“ＮＯ”）、制御部１１１が着信応答することになる（ステップＳ２１０）。所定時間内に着信応答があった場合は（ステップＳ２０９“ＹＥＳ”）、着信切替えが行われ（ステップＳ２１１）、移動端末２０が着信応答することになる。
【００４０】
なお、図６、図７のフローチャートでは図示省略したが、主装置１１の制御部１１１は、移動端末２０に対してプッシュ機能を用いて着信通知を行うときに、発信側の電話番号も通知することで、移動端末２０側で、自動で着信応答するか否かを判断させても良い。このように制御することで、各々が連携することなくユーザが希望する端末に着信を振り分けることができる。
【００４１】
（実施形態の効果）
本実施形態に係るＩＰ電話システム１は、例えば、図１に示すように、ＩＰ電話サーバ３０に対する定期的な登録により第１の電話装置（移動端末２０）と第２の電話装置（電話装置１０）が同じ電話番号でＩＰ電話サービスの利用が可能なＩＰ電話システム１である。このＩＰ電話システム１において、例えば、図２に示すように、移動端末２０が電話装置１０に対して代理登録要求を送信すると（ステップＳ１１）、代理登録要求を受信した電話装置１０は、ＩＰ電話サーバ３０に対して移動端末２０に代わって登録を行う（ステップＳ１３）。その後、登録されたＩＰ電話サーバ３０は、同じ電話番号宛に着信があると、電話装置１０に対して着信通知を行ない（ステップＳ１６）、この着信通知を受信した電話装置１０は、その着信通知を移動端末２０に送信し（ステップＳ１７）、移動端末２０が着信応答する。
【００４２】
既存のＩＰ電話システムでは、別々のＩＰアドレスで二重に登録されると、後に登録されたＩＰアドレスを持つ端末に対して着信通知が行われるため、一つの電話番号を２拠点以上で使用することができなかった。これに対し、本実施形態に係るＩＰ電話システム１によれば、別拠点に位置する移動端末２０が電話装置１０に対して代理登録要求を送信し、電話装置１０が代理で登録を行う仕組みにより、移動端末２０は別拠点で同一の電話番号でＩＰ電話サービスを利用することができ、このとき、ユーザが煩雑な設定を行うことなく希望する側の端末で着信応答することを実現することができる。また、必要なときにのみＩＰ電話サービスの着信先を切り換えることができるため、ユーザに利便性を提供することができる。
【００４３】
また、従来、転送機能を用いることにより一つの電話番号を別の端末でも通話可能にする方式も存在するが、別回線を用いた転送機能では別回線を必要とする他に発信者の電話番号が不明になるという問題があった。これに対し、本実施形態に係るＩＰ電話システム１では、電話装置１０は移動端末２０に対してプッシュ機能を用いて着信通知を行うときに発信側の電話番号も通知することができ、したがって、移動端末２０側で、自動で着信応答するか否かを判断させることも可能である。また、従来、移動端末を主装置１１の子機１２として収容し、他拠点で使用する方式も存在するが、他拠点で使用した場合、セキュリティ面や音声品質の面で問題があった。これに対し、本実施形態に係るＩＰ電話システム１では、移動端末２０のプッシュ機能を使用しながら必要なときにのみＩＰ電話サービスの着信先を切り換えることができ、電話装置１０と移動端末２０とを連携させることなく完全に分離して制御するため、セキュリティや音質品質低下の問題は回避される。
【００４４】
また、移動端末２０には、イベントを受信すると、そのイベントに対応する処理（アプリケーション）を起動させるプッシュ機能が備わっており、電話装置１０は、ＩＰ電話サーバ３０から着信通知を受信すると、移動端末２０に対する着信通知をこのプッシュ機能によって通知することで、移動端末は常時アプリケーションを起動する必要がなく、その間休止（スリープ）でき、したがって、移動端末２０の省電力化が可能である。
【００４５】
また、本実施形態に係る電話装置１０によれば、他の電話装置（移動端末２０）から登録依頼要求を受信すると、移動端末２０に代わってＩＰ電話サーバ３０に対して登録を行う。そして、同じ電話番号宛に着信があってＩＰ電話サーバ３０から着信通知を受信すると、移動端末２０に対して着信通知を送信する。したがって、移動端末２０と電話装置１０（例えば、固定電話端末１２）との間で同一の電話番号でＩＰ電話サービスを利用するときに、ユーザが煩雑な設定を行うことなく、希望する側の端末で着信応答することが可能になる。この機能は、例えば、ユーザが、ある発信先から電話があることが分っているときに、その着信を外出先（移動端末側）で受けるときに有効になる。
【００４６】
また、本実施形態に係る電話装置（移動端末２０）によれば、他の電話装置（主装置１１）に対して代理登録要求を送信し、主装置１１が、自身に代わってＩＰ電話サーバ３０に対して登録を行った後、同じ電話番号宛に着信があってＩＰ電話サーバ３０から着信通知を受信した主装置１１から送信される着信通知の受信を待って着信応答を行う。したがって、移動端末２０と固定電話端末１２との間で同一の電話番号でＩＰ電話サービスを利用するときに、ユーザが煩雑な設定を行うことなく、希望する側の端末で着信応答することが可能になる。この機能は、例えば、ユーザが、ある発信先から電話があることが分っているときに、その着信を外出先（移動端末側）で受けるときに有効になる。このため、使い勝手の良い電話装置（移動端末２０）を提供することができる。また、移動端末２０には、イベントを受信すると、そのイベントに対応する処理（アプリケーション）を起動させるプッシュ機能が備わっており、電話装置１０は、ＩＰ電話サーバ３０から着信通知を受信すると、移動端末２０に対する着信通知をこのプッシュ機能によって通知することで、移動端末２０はその間休止（スリープ）でき、したがって、移動端末２０の省電力化が可能である。
【００４７】
なお、本実施形態に係る電話装置１０によれば、複数の外線と内線を共有して制御する主装置１１と、主装置１１に収容される複数の固定電話端末（子機１２）とからなるビシネスホンを例示したが、ゲートウエイあるいは交換機で代替してもよい。また、移動端末２０についても、携帯電話端末の他に、スマートホンやタブレット端末等、インターネット接続環境を有するものであればその種類を問わない。
【００４８】
また、本実施形態に係るプログラムは、例えば、図３に示すように、コンピュータ（制御部１１１）により実行され、ＩＰ電話サーバ３０に対する定期的な登録により他の電話装置（移動端末２０）と同じ電話番号で電話サービスの利用可能な電話装置１０のプログラムであり、記憶部１１２の所定の領域に格納されている。そして、そのプログラムは、例えば、図６、図７に示すように、前記コンピュータに、前記他の電話装置から登録依頼要求を受信すると、前記他の電話装置に代わって前記ＩＰ電話サーバに対して登録要求を送信する処理（ステップＳ２０１，Ｓ２０２）と、前記電話番号宛に着信があって前記ＩＰ電話サーバから着信通知を受信すると、前記他の電話装置に対して前記着信通知を送信する処理（ステップＳ２０３，Ｓ２０４）と、を実行させる。
【００４９】
このため、本実施形態に係るプログラムによれば、移動端末２０と固定電話端末１２との間で同一の電話番号でＩＰ電話サービスを利用するときに、ユーザが煩雑な設定を行うことなく、希望する側の端末で着信応答することが可能になる。この機能は、例えば、ユーザが、ある発信先から電話があることが分っているときに、その着信を外出先（移動端末側）で受けるときに有効になる。
【００５０】
また、本実施形態に係るプログラムは、例えば、図４に示すように、コンピュータ（制御部２０１）によって実行され、ＩＰ電話サーバ３０に対する定期的な登録により他の電話装置（電話装置１０）と同じ電話番号で電話サービスの利用が可能な電話装置（移動端末２０）のプログラムであって、記憶部２０２の所定の領域に格納されている。そしてそのプログラムは、例えば、図５に示すように、前記コンピュータに、前記他の電話装置に対して代理登録要求を送信する処理（ステップＳ１０１，Ｓ１０２）と、前記他の電話装置が自身に代わって前記ＩＰ電話サーバに対して登録を行った後、前記電話番号宛に着信があれば、前記ＩＰ電話サーバから着信通知を受信した前記他の電話装置から送信される着信通知の受信を待って着信応答する処理（ステップＳ１０２〜Ｓ１１３）と、を実行させる。
【００５１】
このため、本実施形態に係るプログラムによれば、移動端末２０と固定電話端末１２との間で同一の電話番号でＩＰ電話サービスを利用するときに、ユーザが煩雑な設定を行うことなく、希望する側の端末で着信応答することが可能になる。この機能は、例えば、ユーザが、ある発信先から電話があることが分っているときに、その着信を外出先（移動端末側）で受けるときに有効になる。また、移動端末２０には、イベントを受信すると、そのイベントに対応する処理（アプリケーション）を起動させるプッシュ機能が備わっており、電話装置１０は、ＩＰ電話サーバ３０から着信通知を受信すると、移動端末２０に対する着信通知をこのプッシュ機能によって通知することで、移動端末２０はその間休止（スリープ）でき、したがって、移動端末２０の省電力化が可能である。
【００５２】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５３】
１  ＩＰ電話システム、１０  電話装置、１１  主装置、１２  固定電話端末（子機）、２０  移動端末、３０  ＩＰ電話サーバ、４０  ＩＰ網、１１１  制御部、１１２  記憶部、１１３  アナログ電話通信部、１１４  携帯電話通信部、１１５  アナログ内線通信部、１１６  ＩＰネットワーク通信部、２０１  制御部、２０２  記憶部、２０３  操作部、２０４  表示部、２０５  通信部、２０６  音声入出力部
【図１】
2015076844.tif 000003
【図２】
2015076844.tif 000004
【図３】
2015076844.tif 000005
【図４】
2015076844.tif 000006
【図５】
2015076844.tif 000007
【図６】
2015076844.tif 000008
【図７】
2015076844.tif 000009